(57)【特許請求の範囲】
【請求項１】
外パイプと、
該外パイプに対し上下動可能に配置された内パイプと、
前記外パイプ側に下端が取付けられ、かつ、前記内パイプ内に挿通されたセンターシャフトと、
前記内パイプに対して上下動可能に取付けられたアンロックグリップと、
該アンロックグリップの上下動動作に伴って上下動するアンロックパイプと、
上端が前記内パイプ側に固定され下端が伸びる方向にバネ付勢され、かつ、前記センターシャフトが挿通された第１クランプチェーンと、
下端が前記内パイプ側に固定され上端が伸びる方向にバネ付勢され、かつ、前記センターシャフトが挿通された第２クランプチェーンと、
前記アンロックグリップを引き上げ前記アンロックパイプが引き上げられると前記第１クランプチェーンの下端フリー側を押し上げ前記センターシャフトとの隙間を大きくし、また、前記アンロックグリップを引き下げ前記アンロックパイプが引き下げられると前記第２クランプチェーンの上端フリー側を押し下げ前記センターシャフトとの隙間を大きくする前記アンロックパイプ内に取付けられたアンロックプレートと、
から構成したことを特徴とする理美容器具等のスタンド昇降装置。
【請求項２】
前記アンロックグリップを上下動させるための外力が解除された時に、前記第１クランプチェーンの下端フリー側および第２クランプチェーンの上端フリー側を伸張させるために、前記アンロックプレートをスプリング等の戻し部材によって移動させることを特徴とする請求項１記載の理美容器具等のスタンド昇降装置。
【請求項３】
前記外パイプの内周面側に長手方向に沿って少なくとも１条の溝あるいは突条を形成し、前記戻し部材によって上方にバネ付勢されているスライダーに前記溝に係合される突起あるいは前記突条が係合される溝を形成したことを特徴とする請求項１記載の理美容器具等のスタンド昇降装置。
【請求項４】
前記外パイプの内面に合成樹脂等の摩擦係数の小さなガイド受けを前記スライダーとの接触部分に取付け、該ガイド受けによって前記スライダーの上下動がスムーズに行えるようにしたことを特徴とする請求項１記載の理美容器具等のスタンド昇降装置。
【発明の詳細な説明】
【０００１】
【発明の属する技術分野】
本発明は理美容院等で使用されるスタンドの上端に取付けられた温風や冷風を吹きつけるドライヤー、被施術者の顔面に向けて蒸気を排出するスチーマあるいは遠赤外線を放射する毛髪処理促進装置を上下動させるための理美容器具等のスタンド昇降装置に関する。
【０００２】
【従来の技術】
従来、この種のスタンドは図５に示すような移動可能な４脚１にスタンド２が立設して取付けられ、該スタンド２は４脚１に取付けられた外パイプ２ａと、該外パイプ２ａ内を上下動可能に嵌挿された内パイプ２ｂとから構成され、かつ、内パイプ２ｂを外パイプ２ａに対して所望の高さ位置で固定するためのネジ２ｃが外パイプ２ａに螺合されているものである。なお、外パイプ２ａ内には内パイプ２ｂを上方に押し上げるためのスプリング（図示せず）が収容されている。
【０００３】
また、内パイプ２ａの上端にはドライヤー、スチーマ、図示の毛髪処理促進装置３が取付けられている。なお、この毛髪処理促進装置３は、前記内パイプ２ｂの上端に取付けられたアーム状の基部３ａと、該基部３ａの上部にモータによって回転するリング状の遠赤外線放射体３ｂと、前記基台３ａの下部に取付けられた直線状の遠赤外線放射体３ｃとから構成されている。
【０００４】
そして、毛髪処理促進装置３を上下動させるには前記ネジ２ｃを緩め、上昇させるにはスプリングのバネ力によって内パイプ２ｂが上昇するので、所望の位置まで高くなったらネジ２ｃを締め付け固定する。また、下降させるにはスプリングのバネ力に抗して内パイプ２ｂを押し下げて所望の位置まで下降させたならネジ２ｃを締め付け固定するものである。
【０００５】
【発明が解決しようとする課題】
ところで、前記した従来のネジ２ｃを利用して外パイプ２ａに対して内パイプ２ｂを固定するものにあっては、毛髪処理促進装置３を上下動させる度にネジ２ｃを緩め、所定位置において締め付けるといった作業を行うために、施術者にとって面倒であり、かつ、両手によって作業を行うことから作業を途中で停止しなければならず、また、ネジ２ｃの締め付けによって内パイプ２ｂに傷を付けたり磨耗してしまうといった問題があった。
【０００６】
本発明は前記した問題点を解決せんとするもので、その目的とするところは、片手での操作によって毛髪処理促進装置等を容易に上下動とロックが行えると共に、ロックおよびロック解除が簡単で操作性が非常に簡便である理美容器具等のスタンド昇降装置を提供せんとするにある。
【０００７】
【課題を解決するための手段】
本発明の理美容器具等のスタンド昇降装置は前記した目的を達成せんとするもので、請求項１の手段は、外パイプと、該外パイプに対し上下動可能に配置された内パイプと、前記外パイプ側に下端が取付けられ、かつ、前記内パイプ内に挿通されたセンターシャフトと、前記内パイプに対して上下動可能に取付けられたアンロックグリップと、該アンロックグリップの上下動動作に伴って上下動するアンロックパイプと、上端が前記内パイプ側に固定され下端が伸びる方向にバネ付勢され、かつ、前記センターシャフトが挿通された第１クランプチェーンと、下端が前記内パイプ側に固定され上端が伸びる方向にバネ付勢され、かつ、前記センターシャフトが挿通された第２クランプチェーンと、前記アンロックグリップを引き上げ前記アンロックパイプが引き上げられると前記第１クランプチェーンの下端フリー側を押し上げ前記センターシャフトとの隙間を大きくし、また、前記アンロックグリップを引き下げ前記アンロックパイプが引き下げられると前記第２クランプチェーンの上端フリー側を押し下げ前記センターシャフトとの隙間を大きくする前記アンロックパイプ内に取付けられたアンロックプレートとから構成したものである。
【０００８】
さらに請求項２の手段は、前記した請求項１において、前記アンロックグリップを上下動させるための外力が解除された時に、前記第１クランプチェーンの下端フリー側および第２クランプチェーンの上端フリー側を伸張させるために、前記アンロックプレートをスプリング等の戻し部材によって移動させるようにしたものである。
【０００９】
また、請求項３の手段は、前記した請求項１において、前記外パイプの内周面側に長手方向に沿って少なくとも１条の溝あるいは突条を形成し、前記戻し部材によって上方にバネ付勢されているスライダーに前記溝に係合される突起あるいは前記突条が係合される溝を形成したものである。
【００１０】
さらに、請求項４の手段は、前記した請求項１において、前記外パイプの内面に合成樹脂等の摩擦係数の小さなガイド受けを前記スライダーとの接触部分に取付け、該ガイド受けによって前記スライダーの上下動がスムーズに行えるようにしたものである。
【００１１】
【発明の実施の形態】
以下、本発明に係る理美容器具等のスタンド昇降装置の実施の形態を図１〜図３と共に説明する。
図１は所望の高さ位置にセットした状態を示し、図２は図１のセット状態から上昇させる状態を示し、図３は図１のセット状態から下降させる状態を示している。
【００１２】
４は前記した従来例の外パイプ２ａと同じ外パイプにして、上端にはキャップ４ａが固定されている。５は前記した従来例の内パイプ２ｂと同じ内パイプにして、前記キャップ４ａから上方に突出しており、かつ、外パイプ４に対して上下動可能なようにセットされている。６は前記内パイプ５の下端内周に固定された支点プレートホルダー、７は前記外パイプ４の内周に摺動自在に嵌挿されたスライダーにして、前記支点プレートホルダー６の下面に固定されている。
【００１３】
８は外パイプ４内に収容された弾発スプリングにして、上端が前記スライダー７に当接し、下端が４脚等の外パイプ４の下部に当接している。９は４脚等の外パイプ４の下部に固定されたセンターシャフトにして、後述するアンロックパイプ１２内にまで達している。
【００１４】
１０は前記内パイプ５の内周における前記支点プレートホルダー６より上方において上下動自在に収容された半円柱状のアンロックプレート、１１は同じく内パイプ５の内における前記アンロックプレート１０の上端部と対向した位置に一体化して取付けられたセミアンロックプレート、１２は前記アンロックプレート１０の突起１０ａと、前記セミアンロックプレート１１の段部１１ａとによって固定された円筒状のアンロックパイプである。
【００１５】
１３は前記内パイプ５の相対向して形成された長孔５ａ内に挿通されたアンロックピンにして、前記アンロックパイプ１２に形成された孔１２ａに固定された状態で取付けられている。そして、アンロックピン１３の両端にはアンロックパイプ１２を前記長孔５ａの範囲内において上下動させるためのアンロックグリップ１３ａが取付けられている。
【００１６】
１４は前記内パイプ５における前記支点プレートホルダー６とアンロックプレート１０と対向して固定された支点プレートにして、該支点プレート１４とアンロックプレート１０との対向面に形成された空間Ｐ１と、支点プレート１４と支点プレートホルダー６との対向面に形成された空間Ｐ２には、第１クランプチェーン１５と、第２クランプチェーン１６が収容されている。
【００１７】
そして、第１、第２クランプチェーン１５，１６は、チェーン片と、該チェーン片を交互に連結すると共に前記センターシャフト９の両側に位置する連結軸および該連結軸が前記センターシャフト９を挟持するようにバネ付勢するスプリングとから構成されている。
【００１８】
そして、第１クランプチェーン１５の上端は前記支点プレート１４の挟持部１４ａに固定され下端はフリーな状態で収容され、また、第２クランプチェーン１６は下端は支点プレート１４の挟持部１４ｂに固定され上端はフリーな状態で収容されている。
【００１９】
１７は前記セミアンロックプレート１１と前記支点プレート１４との間に介在されたスプリングや板バネ等の戻し部材にして、常時、アンロックピン１３を内パイプ５における長孔５ａの中心位置に戻す作用をするものである。すなわち、アンロックピン１３が図２のように長孔５ａの上端に位置している場合には下方へのバネ力が作用し、また、図３のように長孔５ａの下端に位置している場合には上方へのバネ力が作用するものである。
【００２０】
なお、戻し部材１７はアンロックパイプ１２を内パイプ５の長孔５ａの中心位置に戻すようにバネ付勢すればよいものであることから、実施の形態の如くセミアンロックプレート１１と支点プレート１４との間に介在する必要はなく、内パイプ５とアンロックピン１３との間に介在し、内パイプ５に対してアンロックピン１３を常時、長孔５ａの中心位置となるようにバネ付勢してもよい。
【００２１】
次に、前記した構成においてセット状態から内パイプ５を外パイプ４に対して上昇させる動作を図２と共に説明する。セット状態にあっては、アンロックピン１３は戻し部材１７によって長孔５ａの中心位置に位置しているので、第１クランプチェーン１５の下端および第２クランプチェーン１６の上端は伸びた状態となっているため、センターシャフト９は第１クランプチェーン１５と第２クランプチェーン１６との摩擦によって固定された状態となり、これにより、内パイプ５に固定されている支点プレート１４はセンターシャフト９に対してロック状態となり、従って、内パイプ５は外パイプ４に対して上下動が行えない。
【００２２】
このようなロック状態において、内パイプ５を外パイプ４に対して上昇させる場合には、アンロックグリップ１３ａを引き上げてアンロックピン１３を長孔５ａの上部に到達するまで引き上げると、アンロックパイプ１２はアンロックピン１３によって引き上げられるため、第１クランプチェーン１５の下端であるフリー側がアンロックプレート１０の段部１０ｂによって押し上げられ、その結果、第１クランプチェーン１５は縮められ内径が大きくなってセンターシャフト９との間に間隙が発生する。
【００２３】
これにより、弾発スプリング８のバネ力によってスライダー７が外パイプ４に対して上昇可能になり、従って、内パイプ５の上昇が可能な状態となる。一方、第２クランプチェーン１６はセット状態と同じ状態のままであるため、該第２クランプチェーン１６の上端はフリーな状態を維持しており、従って、センターシャフト９に対して第２クランプチェーン１６は移動可能となり、これにより、内パイプ５は外パイプ４に対して弾発スプリング８のバネ力によって上昇する。
【００２４】
そして、内パイプ５を外パイプ４に対して所望の位置まで上昇させた状態で、アンロックグリップ１３ａから手を離せば、戻し部材１７の縮み方向のバネ力によってアンロックプレート１０は図１の状態に戻され、従って、第１クランプチェーン１５が伸びてセンターシャフト９との摩擦力が大きくなってロック状態となり、すなわち、セット状態に戻り希望する高さ位置まで上昇させた状態で停止するものである。
【００２５】
次に、図１のセット状態から内パイプ５を外パイプ４に対して下降させる動作を図３と共に説明する。
図１のロック状態において、アンロックグリップ１３ａを押し下げてアンロックピン１３を長孔５ａの下部に到達するまで押し下げると、アンロックプレート１０がアンロックパイプ１２によって引き下げられるため、第２クランプチェーン１６の上端であるフリー側がアンロックプレート１０における段部１０ｂの下辺によって押し下げられ、その結果、第２クランプチェーン１６は縮められ内径が大きくなってセンターシャフト９との間に間隙が発生する。
【００２６】
これにより、弾発スプリング８のバネ力に抗して内パイプ５を下降させることによってスライダー７が外パイプ４に対して下降可能となり、従って、内パイプ５の下降が可能な状態となる。一方、第１クランプチェーン１５はセット状態と同じ状態のままであるため、すなわち、第１クランプチェーン１５の下端はフリーな状態となっているため、センターシャフト９に対して内パイプ５が下方に移動することでセンターシャフト９と第１クランプチェーン１５の下端は押し上げられセンターシャフト９と第１クランプチェーン１５の内径との間に隙間が発生し、クランプシャフト９に対して第１クランプチェーン１５はフリーな状態となる。従って、内パイプ５は外パイプ４に対して弾発スプリング８のバネ力に抗して下降が可能となる。
【００２７】
そして、内パイプ５を外パイプ４に対して所望の位置まで下降させた状態で、アンロックグリップ１３ａから手を離せば、戻し部材１７の伸び方向のバネ力によってアンロックプレート１０は図１の状態に戻され、従って、第２クランプチェーン１６が伸びてセンターシャフト９との摩擦力が大きくなってロック状態となり、すなわち、セット状態に戻り希望する高さ位置まで下降させた状態で停止するものである。
【００２８】
なお、前記した実施の形態において、スライダー７からアンロックプレート１０、セミアンロックプレート１１およびこれらを収容する内パイプ５とをユニット化し、このユニットを現在の太さの内パイプ５より大きな内パイプ内にセットできるようにしてもよい。
【００２９】
また、前記した実施の形態にあっては、外パイプ４に対して内パイプ５が回転する可能性があるので、図４のように構成して内パイプ５の回転を防止すると共に上下動がスムーズに行えるようにすることが望ましい。
【００３０】
すなわち、外パイプ４をアルミの引き出し加工によって図４の断面図のように内面に複数の突条４ｂを形成し、この突条４ｂに２分割された合成樹脂等の摩擦係数の小さな部材による半円筒状のガイド受け２０の一端側のみを固定し、かつ、ガイド受け２０の相対向する隙間であるガイド溝２０ａに円盤状に形成したスライダー７の側面から突出した突起７ａをガイドさせるようにする。
【００３１】
これにより、スライダー７の回転が防止される、すなわち、内パイプ５の回転が防止されると共に、スライダー７とガイド受け２０との摩擦抵抗が小さいことおよびガイド受け２０の対向部の一端側がフリーな状態であることから、スライダー７の上下動がスムーズに行われ、従って、内パイプ５の上昇は弾発力の小さな戻し部材８でも行え、また、下降は小さな外力によって行えることとなる。
【００３２】
なお、図４の実施の形態では、スライダー７に突起７ａを形成し、ガイド受け２０のガイド溝２０ａにガイドした場合について説明したが、ガイド受け２０側に突起を形成し、スライダー７側に該突起がガイドされる溝を形成してもよい。
【００３３】
【発明の効果】
本発明は前記したように、アンロックグリップを上下動すると内パイプが外パイプに対してロックユニットがフリーな状態となり、かつ、アンロックグリップを開放するとロックユニットがロック状態となって、外パイプに対して内パイプを固定することにより、片手での操作によって内パイプの上下動とロック操作が容易に行えると共に、ロックおよびロック解除が簡単で操作性が非常に簡便である。
【００３４】
また、スライダーと外パイプとの間に回り止めを施すことにより、上下動時において内パイプの上端に取付けられている機器が方向違いに向くことがなく、さらに、スライダーと外パイプとの間に合成樹脂等の摩擦抵抗の小さな部材を介在することで、内パイプの上下動作がスムーズに行える等の効果を有するものである。
【図面の簡単な説明】
【図１】  本発明の理美容器具等のスタンド昇降装置におけるロック時の断面図である。
【図２】  同上の上昇時の断面図である。
【図３】  図１の下降時の断面図である。
【図４】  外パイプとスライダーとの関係を示す他の実施の形態の断面図である。
【図５】  従来の理美容院等で使用されるスタンドの斜視図である。
【符号の説明】
４          外パイプ
５          内パイプ
９          センターシャフト
１０        アンロックプレート
１２        アンロックパイプ
１３ａ      アンロックグリップ
１５        第１クランプチェーン
１６        第２クランプチェーン
１７        戻し部材
１７ａ      突起
２０        ガイド受け
２０ａ      ガイド溝
【図１】
0003892238.tif 000002
【図２】
0003892238.tif 000003
【図３】
0003892238.tif 000004
【図４】
0003892238.tif 000005
【図５】
0003892238.tif 000006